(57)【特許請求の範囲】
【請求項１】
情報データファイルを記録媒体に記録する記録処理と、
前記記録処理により記録された前記情報データファイルに関して付与された情報を有する特定用データファイルを作成して前記記録媒体に記録する特定用ファイル記録処理と、
前記特定用データファイルを前記記録媒体から読込む特定用ファイル読込み処理と、
前記特定用ファイル読込み処理により読込まれた前記特定用データファイルから前記情報データファイルを特定する特定処理と、
前記記録媒体に記録されている前記特定用データファイルを削除する特定用ファイル削除処理とを行うプログラムが格納されているデータファイル管理用記録媒体であって、
前記特定用ファイル記録処理は、前記記録処理が終了した後に直ちに行われ、前記特定用ファイル削除処理は、前記特定処理が終了した後に直ちに行われることを特徴とするデータファイル管理用記録媒体。
【請求項２】
記録媒体から削除する情報データファイルに関して付与された情報を有する特定用データファイルを作成して前記記録媒体に記録する特定用ファイル記録処理と、
前記情報データファイルを前記記録媒体から削除する削除処理と、
前記特定用データファイルを前記記録媒体から読込む特定用ファイル読込み処理と、
前記特定用ファイル読込み処理により読込まれた前記特定用データファイルから前記情報データファイルを特定する特定処理と、
前記記録媒体に記録されている前記特定用データファイルを削除する特定用ファイル削除処理とを行うプログラムが格納されているデータファイル管理用記録媒体であって、
前記特定用ファイル記録処理は、前記削除処理を開始する前に行われ、前記特定用ファイル削除処理は、前記特定処理が終了した後に直ちに行われることを特徴とするデータファイル管理用記録媒体。
【請求項３】
情報データファイルを記録媒体に記録する記録手段と、
前記記録手段により記録された前記情報データファイルに関して付与された情報を有する特定用データファイルを作成して前記記録媒体に記録する特定用ファイル記録手段と、
前記特定用データファイルを前記記録媒体から読込む特定用ファイル読込み手段と、
前記特定用ファイル読込み手段により読込まれた前記特定用データファイルから前記情報データファイルを特定する特定手段と、
前記記録媒体に記録されている前記特定用データファイルを削除する特定用ファイル削除手段とを備え、
前記特定用ファイル記録手段は、前記記録手段が前記情報データファイルの前記記録媒体への記録を終了した後に直ちに、前記特定用データファイルを前記記録媒体に記録し、
前記特定用ファイル削除手段は、前記特定手段が前記特定用データファイルから前記情報データファイルの特定を終了した後に直ちに、前記特定用データファイルを削除することを特徴とするデータファイル管理装置。
【請求項４】
記録媒体から削除する情報データファイルに関して付与された情報を有する特定用データファイルを作成して前記記録媒体に記録する特定用ファイル記録手段と、
前記情報データファイルを前記記録媒体から削除する削除手段と、
前記特定用データファイルを前記記録媒体から読込む特定用ファイル読込み手段と、
前記特定用ファイル読込み手段により読込まれた前記特定用データファイルから前記情報データファイルを特定する特定手段と、
前記記録媒体に記録されている前記特定用データファイルを削除する特定用ファイル削除手段とを備え、
前記特定用ファイル記録手段は、前記特定用ファイル削除手段が前記特定用データファイルの削除を開始する前に、前記特定用データファイルを前記記録媒体に記録し、
前記特定用ファイル削除手段は、前記特定手段が前記特定用データファイルから前記情報データファイルの特定を終了した後に直ちに、前記特定用データファイルを削除することを特徴とするデータファイル管理装置。
【発明の詳細な説明】
【０００１】
【発明の属する技術分野】
本発明は、画像ファイルなどの情報データを管理するデータファイルの管理用プログラムが格納された記録媒体、および情報データを管理するデータファイル管理装置に関する。
【０００２】
【従来の技術】
たとえば、電子カメラでＣＦ(コンパクトフラッシュ)カードなどの記録媒体に記録される情報データには、撮影した画像データを収めた情報データがある。この情報データは、所定のアプリケーションプログラムが実行されるパソコンに伝送され、パソコン側のデータ記録装置に書き込まれる。そして、パソコンの所定のアプリケーションプログラムを実行することにより、データ記録装置に書き込まれた画像データが読み出される。読み出された画像データは、パソコンに接続されているディスプレイ装置などの表示装置で表示されたり、パソコンに接続されている出力装置で印刷される。
【０００３】
上述した情報データを扱うアプリケーションプログラムでは、記録媒体から受け取った情報データをパソコン側のデータ記録装置に記録したり、パソコン側のデータ記録装置に記録されている情報データを削除したりするファイル管理処理と、パソコン側のデータ記録装置に記録されている情報データを読み出して、情報データによる画像をディスプレイ装置などの表示装置に出力する表示処理とが行われる。たとえば、データ記録装置に記録されている情報データによる画像を、アプリケーションプログラムを用いて全て表示装置に表示させる場合を例にとれば、データ記録装置に情報データが追加されると、追加された情報データによる画像の表示を追加し、データ記録装置から情報データが削除されると、削除された情報データによる画像の表示を中止する。
【０００４】
【発明が解決しようとする課題】
アプリケーションプログラムでは、データ記録装置に記録されている情報データのファイルリストを作成して管理し、ファイルリストとデータ記録装置に記録されている情報データとを照合して、データ記録装置に情報データが追加あるいは削除されたことを検出する。しかしながら、データ記録装置に記録されている情報データの数が非常に大きくなると、ファイルリストの管理に手間がかかる上に、全ての情報データの照合に要する時間がかかり、情報データが追加あるいは削除されてから照合結果に反映されるまでにタイムラグが発生するという問題があった。
【０００５】
本発明の目的は、情報データファイルの追加および削除を容易に検出するようにしたデータファイルの管理用プログラムが格納された記録媒体を提供することにある。
また、本発明の他の目的は、情報データファイルの追加および削除を容易に検出するようにしたデータファイルの管理装置を提供することにある。
【０００６】
【課題を解決するための手段】
（１）請求項１に記載の発明は、情報データファイルを記録媒体に記録する記録処理と、記録処理により記録された情報データファイルに関して付与された情報を有する特定用データファイルを作成して前記記録媒体に記録する特定用ファイル記録処理と、特定用データファイルを記録媒体から読込む特定用ファイル読込み処理と、特定用ファイル読込み処理により読込まれた特定用データファイルから情報データファイルを特定する特定処理と、記録媒体に記録されている特定用データファイルを削除する特定用ファイル削除処理とを行うプログラムが格納されているデータファイル管理用記録媒体であって、特定用ファイル記録処理は、記録処理が終了した後に直ちに行われ、特定用ファイル削除処理は、特定処理が終了した後に直ちに行われることを特徴とする。
（２）請求項２に記載の発明は、記録媒体から削除する情報データファイルに関して付与された情報を有する特定用データファイルを作成して記録媒体に記録する特定用ファイル記録処理と、情報データファイルを記録媒体から削除する削除処理と、特定用データファイルを記録媒体から読込む特定用ファイル読込み処理と、特定用ファイル読込み処理により読込まれた特定用データファイルから情報データファイルを特定する特定処理と、記録媒体に記録されている特定用データファイルを削除する特定用ファイル削除処理とを行うプログラムが格納されているデータファイル管理用記録媒体であって、特定用ファイル記録処理は、削除処理を開始する前に行われ、特定用ファイル削除処理は、特定処理が終了した後に直ちに行われることを特徴とする。
（３）請求項３に記載の発明によるデータファイル管理装置は、情報データファイルを記録媒体に記録する記録手段と、記録手段により記録された情報データファイルに関して付与された情報を有する特定用データファイルを作成して記録媒体に記録する特定用ファイル記録手段と、特定用データファイルを記録媒体から読込む特定用ファイル読込み手段と、特定用ファイル読込み手段により読込まれた特定用データファイルから情報データファイルを特定する特定手段と、記録媒体に記録されている特定用データファイルを削除する特定用ファイル削除手段とを備え、特定用ファイル記録手段は、記録手段が情報データファイルの記録媒体への記録を終了した後に直ちに、特定用データファイルを記録媒体に記録し、特定用ファイル削除手段は、特定手段が特定用データファイルから情報データファイルの特定を終了した後に直ちに、特定用データファイルを削除することを特徴とする。
（４）請求項４に記載の発明によるデータファイル管理装置は、記録媒体から削除する情報データファイルに関して付与された情報を有する特定用データファイルを作成して記録媒体に記録する特定用ファイル記録手段と、情報データファイルを記録媒体から削除する削除手段と、特定用データファイルを記録媒体から読込む特定用ファイル読込み手段と、特定用ファイル読込み手段により読込まれた特定用データファイルから情報データファイルを特定する特定手段と、記録媒体に記録されている特定用データファイルを削除する特定用ファイル削除手段とを備え、特定用ファイル記録手段は、特定用ファイル削除手段が特定用データファイルの削除を開始する前に、特定用データファイルを記録媒体に記録し、特定用ファイル削除手段は、特定手段が特定用データファイルから情報データファイルの特定を終了した後に直ちに、特定用データファイルを削除することを特徴とする。
【０００７】
なお、上記課題を解決するための手段の項では、本発明をわかりやすく説明するために実施の形態の図と対応づけたが、これにより本発明が実施の形態に限定されるものではない。
【０００８】
【発明の実施の形態】
以下、図面を参照して本発明の実施の形態を説明する。
図１は、本発明の一実施の形態によるデータファイル管理装置が備えられた画像データファイルの表示装置の概要を表す図である。図１において、画像データファイルの表示装置は、電子スチルカメラ１とパソコン(ＰＣ)２とがIEEE-1394ケーブル３で接続されている。電子スチルカメラ１は、ＭＰＵ１１と、ＣＦカード１２と、インターフェイス回路１３とを有する。電子スチルカメラ１は、撮影した画像データを所定の形式でＣＦカード１２に記録する。また、電子スチルカメラ１は、インターフェイス回路１３およびIEEE-1394ケーブル３を介して、撮影した画像データをパソコン２に渡す。電子スチルカメラ１の動作は、ＭＰＵ１１により制御される。
【０００９】
パソコン２は、ＭＰＵ２１と、記録装置２２と、インターフェイス回路２３と、表示回路２４と、ディスプレイ装置２５とを有する。電子スチルカメラ１から渡される画像データは、IEEE-1394ケーブル３およびインターフェイス回路２３を介してパソコン２に取込まれる。パソコン２に取込まれた画像データは、記録装置２２内の所定の記録領域に記録される。記録装置２２内に記録された画像データは、記録装置２２から読出されて表示回路２４で映像信号に変換され、映像信号用ケーブル２６を介してパソコン２に接続されているディスプレイ装置２５に表示される。パソコン２の動作は、ＭＰＵ２１により制御される。
【００１０】
電子スチルカメラ１からパソコン２へ取り込まれる画像データは、ディスプレイ装置２５に表示される他、パソコン２に接続されている不図示の出力装置で印刷されたり、パソコン２とデータの受け渡しが可能にされている不図示の他のコンピュータ装置に送られたりする。
【００１１】
パソコン２において、画像ファイル処理モジュールと画像表示処理モジュールとを有するアプリケーションプログラムが実行されている。画像ファイル処理モジュールは、電子スチルカメラ１のＣＦカード１２に記録されている画像データファイルをパソコン２で受け取り、受け取った画像データファイルをパソコン２の記録装置２２の所定領域に記録するプログラムモジュールである。画像表示処理モジュールは、記録装置２２の所定領域に記録されている画像データファイルを読込んで、画像データによる再生画像をパソコン２に接続されているディスプレイ装置２５に表示させるプログラムモジュールである。これらのプログラムモジュールは、アプリケーションプログラムが実行されると、それぞれ並列に処理が行われる。それゆえ、画像ファイル処理モジュールが画像データファイルを記録装置２２の所定領域に記録する処理と、画像表示処理モジュールが記録装置２２の所定領域から画像データファイルを読込んで表示する処理とは非同期に行われるので、記録装置２２に新たな画像データファイルが追加されても、新規ファイルの特定処理に時間を要するため、直ちにディスプレイ装置２５の表示に反映できない。
【００１２】
記録装置２２の記録領域は、画像データファイルを管理しやすくするために複数のフォルダに分けられている。フォルダはディレクトリとも呼ばれ、記録装置２２の記録領域におけるデータファイルの記録場所を示す呼称である。画像データファイルは、たとえば、同じ撮影者による画像データファイルに分類され、分類された画像データファイルは撮影者の名前が付与されたフォルダ内にそれぞれ記録される。本発明の実施の形態による画像データ表示装置では、記録装置２２内に画像データファイルを記録するフォルダと、画像データファイルを記録するフォルダと異なる特定のフォルダとを設け、特定のフォルダ内に管理用ファイルを作成して記録装置２２への画像データファイルの追加、もしくは記録装置２２に記録されている画像データファイルの削除を管理する。
【００１３】
−画像データファイルの追加−
図２は、画像取込み処理の流れを説明する図である。画像データファイルを任意のフォルダ２２１に追加する場合は、次のように行われる。図２において、任意のフォルダ２２１は、画像データファイルを分類して記録するために設けられているフォルダである。ここでは、説明をわかりやすくするために、画像データの記録用のフォルダを１つだけ示している。任意のフォルダ２２１には、画像データファイルＡ１〜Ａ４が記録されている。画像データファイルＡ１〜Ａ３は、フォルダ２２１に既に記録されていたファイルであり、画像データファイルＡ４は、フォルダ２２１に新たに追加されたファイルである。
【００１４】
一方、特定のフォルダ２２２は、管理用ファイルを作成するために設けられているフォルダである。特定のフォルダ２２２には、管理用ファイルＢ４が記録されている。管理用ファイルＢ４には、任意のフォルダ２２１に新たに追加された画像データファイルがどれであるかを示す情報が記録される。図２の例では、管理用ファイルＢ４には、画像データファイルＡ４のファイル名が記録される。管理用ファイルＢ４には画像データが含まれず、画像データファイルＡ４を特定する最小限の情報が登録される。
【００１５】
図２において、ステップＳ１０１〜ステップＳ１０３までの処理は、アプリケーションプログラムの画像ファイル処理モジュールにより行われる。ステップＳ１０１において、パソコン２が電子スチルカメラ１から画像データファイルを受け取る。ステップＳ１０２において、ＭＰＵ２１が受け取った画像データファイルにファイル名「Ａ４」を付与してフォルダ２２１に記録する。ステップＳ１０３において、ＭＰＵ２１がフォルダ２２１に記録した画像データファイルＡ４のファイル名「Ａ４」を記録した管理用ファイルを作成し、ファイル名「Ｂ４」を付与して特定のフォルダ２２２に記録する。
【００１６】
ステップＳ１０４〜ステップＳ１０６までの処理は、アプリケーションプログラムの画像表示処理モジュールにより行われる。ステップＳ１０４において、ＭＰＵ２１は、特定のフォルダ２２２内にファイルが記録されているかをチェックする。特定のフォルダ２２２内にファイルが記録されている場合、記録されている管理用ファイル(図２の例では管理用ファイルＢ４)を読込んで、フォルダ２２１に記録された画像データファイルのファイル名が「Ａ４」であることを特定する。ステップＳ１０５において、ＭＰＵ２１は、フォルダ２２１から画像データファイルＡ４を読込む。ステップＳ１０６において、ＭＰＵ２１は、特定のフォルダ２２２内に記録されている管理用ファイルＢ４を削除して画像データファイルの追加処理を終了する。その後、ＭＰＵ２１は読込んだ画像データファイルＡ４に基づく画像をディスプレイ装置２５に表示する。
【００１７】
フォルダ２２１に記録されている画像データファイルによる画像について、全てサムネイル表示するようにアプリケーションプログラムがプログラムされている場合は、図３に示すようなサムネイル画像がディスプレイ装置２５に表示される。図３は、フォルダ２２１内に記録されている画像データファイルＡ１〜Ａ４による画像がディスプレイ装置２５に表示されている場合の表示例を表す図である。図３において斜線は、画像データによる画像が表示されていないことを示す。
【００１８】
一方、上述したステップＳ１０４において、特定のフォルダ２２２内にファイルが記録されていない場合、ＭＰＵ２１は、前回読込んだ画像データファイルＡ１〜Ａ３に基づく画像の表示を続ける。つまり、特定のフォルダ２２２内に管理用ファイルＢ４が記録されていなければ、フォルダ２２１に記録されている画像データファイルＡ４を特定して読込むことができない。したがって、ディスプレイ装置２５には、既に読込まれている画像データファイルＡ１〜Ａ３による画像の表示が引き続き引き行われる。
【００１９】
−画像データファイルの削除−
任意のフォルダ２２１に記録されている画像データファイルＡ４を削除する場合は、次のように行われる。図４は、画像削除処理の流れを説明する図である。図４において、任意のフォルダ２２１は、画像データファイルが記録されているフォルダである。画像データファイルの記録について説明したときと同様に、画像データの記録用のフォルダを１つだけ示している。任意のフォルダ２２１には、画像データファイルＡ１〜Ａ３が記録されている。画像データファイルＡ４は、フォルダ２２１から新たに削除されたファイルである。
【００２０】
上述したように、特定のフォルダ２２２は管理用ファイルを作成するために設けられているフォルダである。特定のフォルダ２２２には、管理用ファイルＣ４が記録されている。管理用ファイルＣ４には、任意のフォルダ２２１から新たに削除された画像データファイルがどれであるかを示す情報が記録される。図４の例では、管理用ファイルＣ４には、画像データファイルＡ４のファイル名が記録される。管理用ファイルＣ４には画像データが含まれず、画像データファイルＡ４を特定する最小限の情報が登録される。
【００２１】
図４において、ステップＳ２０１〜ステップＳ２０２までの処理は、アプリケーションプログラムの画像ファイル処理モジュールにより行われる。ステップＳ２０１において、パソコン２のＭＰＵ２１が、フォルダ２２１から削除する画像データファイルＡ４のファイル名「Ａ４」を記録した管理用ファイルを作成し、ファイル名「Ｃ４」を付与して特定のフォルダ２２２に記録する。ステップＳ２０２において、ＭＰＵ２１は、任意のフォルダ２２１に記録されている画像データファイルＡ４を削除する。
【００２２】
ステップＳ２０３〜ステップＳ２０５までの処理は、アプリケーションプログラムの画像表示処理モジュールにより行われる。ステップＳ２０３において、ＭＰＵ２１は、特定のフォルダ２２２内にファイルが記録されているかをチェックする。特定のフォルダ２２２内にファイルが記録されている場合、記録されている管理用ファイル(図４の例では管理用ファイルＣ４)を読込んでステップＳ２０４へ進む。ステップＳ２０４において、ＭＰＵ２１は、フォルダ２２１から削除された画像データファイルのファイル名が「Ａ４」であることを特定する。ステップＳ２０５において、ＭＰＵ２１は、特定のフォルダ内２２２に記憶されている管理用ファイルＣ４を削除して画像データファイルの削除処理を終了する。
【００２３】
上述した図３のように、フォルダ２２１に記録されている画像データファイルによる画像について、全てサムネイル表示するようにアプリケーションプログラムがプログラムされている場合は、削除された画像データファイルＡ４による画像の表示が中止される。すなわち、図５に示すように、フォルダ２２１内に記録されている画像データファイルＡ１〜Ａ３による画像がディスプレイ装置２５に表示される。
【００２４】
一方、上述したステップＳ２０３において、特定のフォルダ２２２内にファイルが記録されていない場合、ＭＰＵ２１は、前回読込んだ画像データファイルＡ１〜Ａ４に基づく画像の表示を続ける。つまり、特定のフォルダ２２２内に管理用ファイルＣ４が記録されていなければ、フォルダ２２１に記録されている画像データファイルＡ４が削除されたことを特定できない。したがって、ディスプレイ装置２５には、先に読込んだ画像データファイルＡ１〜Ａ４による図３の画像の表示が引き続き行われる。
【００２５】
以上説明した本実施の形態による画像データファイルの表示装置によれば、次の作用効果が得られる。
（１）パソコン２の記録装置２２内のフォルダ２２１に画像データファイルＡ４を追加記録するとき、フォルダ２２１へ画像データファイルＡ４を記録して(ステップＳ１０２)、画像データファイルＡ４のファイル名を記録した管理用ファイルＢ４を一次ファイルとして特定のフォルダ２２２へ記録する(ステップＳ１０３)ようにした。管理用ファイルＢ４は、追加された画像データファイルＡ４が特定されると削除される(Ｓ１０６)。したがって、ＭＰＵ２１は、特定のフォルダ２２２に管理用ファイルＢ４が生成されたことを検出して、画像データファイルＡ４が任意のフォルダ２２１に追加されたことを検知できる。この結果、ＭＰＵ２１が任意のフォルダ２２１の中に記録されている全ての画像データファイルをファイルリストと照合し、どの画像データファイルが新しく追加されたかを確認する場合に比べて、ＭＰＵ２１の処理時間を大幅に短縮することができる。とくに、フォルダ２２１に記録されている画像データファイルの数が非常に大きい場合は、全ての画像データファイルをチェックする時間が長くなるので大きな効果が得られる。さらに、画像データファイルＡ４が、フォルダ２２１に記録されてから管理用ファイルＢ４がフォルダ２２２に生成されるので、フォルダ２２１へ記録途中の画像データファイルＡ４に対してＭＰＵ２１がアクセスすることを防止することができる。
【００２６】
（２）パソコン２の記録装置２２内の任意のフォルダ２２１に記録されている画像データファイルＡ４を削除するとき、画像データファイルＡ４のファイル名を記録した管理用ファイルＣ４を一次ファイルとして特定のフォルダ２２２へ記録して(ステップＳ２０１)、フォルダ２２１から画像データファイルＡ４を削除する(ステップＳ２０２)ようにした。管理用ファイルＣ４は、削除された画像データファイルＡ４が特定されると削除される(Ｓ２０５)。したがって、ＭＰＵ２１は、特定のフォルダ２２２に管理用ファイルＣ４が生成されたことを検出して、画像データファイルＡ４が任意のフォルダ２２１から削除されたことを検知できる。この結果、ＭＰＵ２１が任意のフォルダ２２１の中に記録されている全ての画像データファイルをファイルリストと照合し、どの画像データファイルが削除されたかを確認する場合に比べて、ＭＰＵ２１の処理時間を大幅に短縮することができる。とくに、フォルダ２２１に記録されている画像データファイルの数が非常に大きい場合は、全ての画像データファイルをチェックする時間が長くなるので大きな効果が得られる。さらに、管理用ファイルＣ４が、フォルダ２２２に生成されてから画像データファイルＡ４がフォルダ２２１から削除されるので、フォルダ２２１から削除途中の画像データファイルＡ４に対してＭＰＵ２１がアクセスすることを防止することができる。
【００２７】
上述した説明では、管理用ファイルＢ４、管理用ファイルＣ４に対して、追加した画像データファイル名「Ａ４」、削除した画像データファイル名「Ａ４」をそれぞれ記録することにより、管理用ファイルと画像データファイルとを関連づけるようにした。この代わりに、管理用ファイルＢ４のファイル名と追加する画像用データファイルＡ４、および管理用ファイルＣ４のファイル名と削除する画像用データファイルＡ４のファイル名とを同一にして関連づけるようにしてもよい。この場合には、特定のフォルダ２２２と任意のフォルダ２２１との関係は１対１となる。
【００２８】
また、管理用ファイルＢ４および管理用ファイルＣ４のファイル名は、追加および削除する画像用データファイル名「Ａ４」に画像用データファイルＡ４のパス情報を追加して付与するようにしてもよい。この場合には、特定のフォルダ２２２と任意のフォルダ２２１との関係は１対多数となる。
【００２９】
さらにまた、上述した説明では、管理用ファイルＢ４、管理用ファイルＣ４に対して、追加した画像データファイル名「Ａ４」、削除した画像データファイル名「Ａ４」をそれぞれ登録するようにしたが、画像データファイル名「Ａ４」および画像用データファイルＡ４のパス情報の両方を管理用ファイルＢ４、管理用ファイルＣ４のそれぞれに登録するようにしてもよい。上述した本実施の形態によれば、特定のフォルダ２２２と任意のフォルダ２２１との関係は１対１であるが、管理用ファイルＢ４および管理用ファイルＣ４にファイル名「Ａ４」とパス情報とを登録すれば、特定のフォルダ２２２と任意のフォルダ２２１との関係は１対多数となる。
【００３０】
以上の説明では、画像データファイルの表示装置として、電子スチルカメラ１とパソコン(ＰＣ)２とをIEEE-1394ケーブル３で接続したものを例にあげて説明したが、IEEE-1394ケーブル３の代わりに他のネットワークケーブル、あるいは、無線により送受信を行うインターフェイス装置を用いて、電子スチルカメラ１とパソコン(ＰＣ)２とを接続するものでもよい。
【００３１】
また、電子スチルカメラ１とパソコン２とを接続する代わりに、パソコン２が電子スチルカメラ１により画像データが記録されたＣＦカード１２から記録されているデータを直接読込めるように、ＣＦカード読取り装置をパソコン２内に備えたり、ＣＦカード読取り装置をパソコン２に直接接続するようにしてもよい。
【００３２】
さらにまた、画像データファイルの表示装置は、パソコンとパソコン、記録メディアとパソコンとを相互に接続して構成してもよいし、あるいは、これらを１つの筐体に収めて構成することもできる。記録メディアの場合、たとえば、ＣＦカードとパソコンなどを接続するとき、ＣＦカード読み取り装置もしくはＣＦカードのインターフェイスをＵＳＢ、Bluetooth、IrDAなど他のインターフェイスに変換するアダプタを介して接続される。いずれの場合でも、各々の電子機器間において、有線接続や無線接続にかかわらず、所定のデータ通信プロトコルで画像データのようなファイルサイズが大きいデータを数多く受け渡して記録する場合に、本発明を適用することができる。
【００３３】
以上説明した本実施の形態では、ファイル管理装置を備える画像データファイルの表示装置について説明したが、上述した画像データファイルの表示処理（画像ファイル取込み／削除処理と画像表示処理）をソフトウエアの形態でＣＤ−ＲＯＭやフロッピデイスクなどの記録媒体にファイル管理プログラムとして格納し、このファイル管理プログラムをパソコンで読込んだ上で、電子カメラにより記録された画像データファイルをパソコンに取込んで表示する際に使用することもできる。
【００３４】
上述した画像データファイルの管理プログラムが記録された記録媒体からプログラムをパソコンで読込む代わりに、インターネットなどの伝送媒体を利用して上述した画像データファイルの管理プログラムを伝送してもよい。この場合には、伝送されたプログラムをパソコンで読込んだ上で、上述のような画像データファイルの取込み／削除処理、表示処理をパソコンで行うようにする。
【００３５】
特許請求の範囲における各構成要素と、発明の実施の形態における各構成要素との対応について説明すると、画像データファイルＡ４が情報データファイルに、記録装置２２が記録媒体に、管理用ファイルＢ４およびＣ４が特定用データファイルに、ＭＰＵ２１が記録手段、特定用ファイル記録手段、特定用ファイル読込み手段、特定手段、特定用ファイル削除手段および削除手段に、それぞれ対応する。
【００３６】
【発明の効果】
以上詳細に説明したように本発明によれば、次のような効果を奏する。
（１）請求項１，３に記載の発明では、記録媒体に記録された情報データファイルに関する情報が付与された特定用データファイルを記録媒体に記録し、記録された特定用データファイルを読込んで記録された情報データファイルを特定するようにした。したがって、たとえば、極めて多数の情報データファイルが記録されている記録媒体に新たな情報データファイルが記録された場合に、記録媒体に記録されている極めて多数の情報データファイルをファイルリストと照合しなくても、特定用データファイルを読込むだけで新たに記録された情報データファイルを特定することができる。この結果、特定に要する時間を短縮することが可能になる。
（２）とくに、請求項１，３に記載の発明では、記録媒体に情報データファイルの記録が終了した後に特定用データファイルを記録するようにしたから、記録媒体に記録途中の情報データファイルが特定されないので、記録途中の情報データファイルに対するアクセスが防止される。また、記録媒体に記録された情報データファイルが特定された後に特定用データファイルを削除するようにしたから、一度特定した情報データファイルが重複して特定されることが防止される。
（３）請求項２，４に記載の発明では、記録媒体から削除された情報データファイルに関する情報が付与された特定用データファイルを記録媒体に記録し、記録された特定用データファイルを読込んで削除された情報データファイルを特定するようにした。したがって、たとえば、極めて多数の情報データファイルが記録されている記録媒体から情報データファイルが削除された場合に、記録媒体に記録されている極めて多数の情報データファイルをファイルリストと照合しなくても、特定用データファイルを読込むだけで削除された情報データファイルを特定することができる。この結果、特定に要する時間を短縮することが可能になる。
（４）とくに、請求項２，４に記載の発明では、記録媒体から情報データファイルの削除を開始する前に特定用データファイルを記録するようにしたから、情報データファイルを記録媒体から削除する前に特定できるので、削除途中の情報データファイルに対するアクセスが防止される。また、記録媒体から削除された情報データファイルが特定された後に特定用データファイルを削除するようにしたから、一度特定した情報データファイルが重複して特定されることが防止される。
【図面の簡単な説明】
【図１】本実施の形態による画像データファイルの表示装置の概要を表す図である。
【図２】画像取込み処理の流れを説明する図である。
【図３】任意のフォルダに記録されている画像データファイルＡ１〜Ａ４による画像がディスプレイ装置に表示されている表示例を表す図である。
【図４】画像削除処理の流れを説明する図である。
【図５】任意のフォルダに記録されている画像データファイルＡ１〜Ａ３による画像がディスプレイ装置に表示されている表示例を表す図である。
【符号の説明】
１…電子スチルカメラ、            ２…パソコン、
３…ケーブル、                  １１,２１…ＭＰＵ、
１２…ＣＦカード、                １３,２３…インターフェイス回路、
２２…記録装置、                  ２５…ディスプレイ装置、
２２１…任意のフォルダ、          ２２２、特定のフォルダ、
Ａ１〜Ａ４…画像データファイル、  Ｂ４…記録時の管理用ファイル、
Ｃ４…削除時の管理用ファイル
【図１】
0004370682.tif 000002
【図２】
0004370682.tif 000003
【図３】
0004370682.tif 000004
【図４】
0004370682.tif 000005
【図５】
0004370682.tif 000006